(57)【要約】【課題】複数枚のレンズを組み立てる場合、その構成が簡素であり、しかもその組立作業が容易であるレンズキットを提供することを目的とする。【解決手段】レンズの外周に、マグネットが装着されているマグネットマウント付レンズと、１つのマグネットマウント付レンズと、他のマグネットマウント付レンズとの間に設けられるチューブであって、上記チューブの両端部のそれぞれに、マグネットまたは磁性体が設けられているチューブとを有し、上記チューブの一端部に設けられているマグネットまたは磁性体に、上記１つのマグネットマウント付レンズのマグネットが吸着され、上記チューブの他端部のマグネットまたは磁性体に、上記他のマグネットマウント付レンズのマグネットが吸着されるレンズキットである。【選択図】図１
2013161049.tif 000002
【特許請求の範囲】
【請求項１】
レンズの外周に、環状部材が装着され、この環状部材にマグネットが含まれていることを特徴とするマグネットマウント付レンズ。
【請求項２】
請求項１において、
上記環状部材は、マグネットで構成されているか、または、部分的にマグネットが含まれている部材であることを特徴とするマグネットマウント付レンズ。
【請求項３】
レンズの外周に、環状部材が装着され、この環状部材に磁性体が含まれていることを特徴とするマグネットマウント付レンズ。
【請求項４】
請求項３において、
上記環状部材は、磁性体で構成されているか、または、部分的に磁性体が含まれている部材であることを特徴とするマグネットマウント付レンズ。
【請求項５】
レンズの外周に、マグネットが装着されているマグネットマウント付レンズと；
上記マグネットマウント付レンズのレンズに対応する開口が設けられ、上記開口の周辺に磁性体が設けられているレンズボードと；
を有することを特徴とするカメラ。
【請求項６】
レンズの外周に、磁性体が装着されている磁性体マウント付レンズと；
上記磁性体マウント付レンズのレンズに対応する開口が設けられ、上記開口の周辺にマグネットが設けられているレンズボードと；
を有することを特徴とするカメラ。
【請求項７】
マグネットを含み、チューブ形状を具備するレンズ用スペーサであって、
レンズの外周にマグネットが装着されている２つのレンズの間、レンズの外周に磁性体が装着されている２つのレンズの間、または、レンズの外周にマグネットが装着されているレンズとレンズの外周に磁性体が装着されているレンズとの間に、挿入されることによって、上記２つのレンズの間隔を固定して維持することを特徴とするレンズ用スペーサ。
【請求項８】
磁性体を含み、チューブ形状を具備するレンズ用スペーサであって、
レンズの外周にマグネットが装着されている２つのレンズの間に挿入されることによって、上記２つのレンズの間隔を固定して維持することを特徴とするレンズ用スペーサ。
【請求項９】
チューブと；
上記チューブの両端部に設けられているマグネットと：
を有するレンズ用スペーサであって、
レンズの外周にマグネットが装着されている２つのレンズの間、レンズの外周に磁性体が装着されている２つのレンズの間、または、レンズの外周にマグネットが装着されているレンズとレンズの外周に磁性体が装着されているレンズとの間に、挿入されることによって、上記２つのレンズの間隔を固定して維持することを特徴とするレンズ用スペーサ。
【請求項１０】
チューブと；
上記チューブの両端部に設けられている磁性体と：
を有するレンズ用スペーサであって、
レンズの外周にマグネットが装着されている２つのレンズの間に挿入されることによって、上記２つのレンズの間隔を固定して維持することを特徴とするレンズ用スペーサ。
【請求項１１】
チューブと；
上記チューブの一方の端部に設けられているマグネットと：
上記チューブの他方の端部に設けられている磁性体と：
を有するレンズ用スペーサであって、
レンズの外周にマグネットが装着されている２つのレンズの間、または、レンズの外周にマグネットが装着されているレンズとレンズの外周に磁性体が装着されているレンズとの間に、挿入されることによって、上記２つのレンズの間隔を固定して維持することを特徴とするレンズ用スペーサ。
【請求項１２】
レンズの外周に、マグネットが装着されているマグネットマウント付レンズと；
１つのマグネットマウント付レンズと、他のマグネットマウント付レンズとの間に設けられるチューブであって、上記チューブの両端部のそれぞれに、マグネットまたは磁性体が設けられているチューブと；
を有し、上記チューブの一端部に設けられているマグネットまたは磁性体に、上記１つのマグネットマウント付レンズのマグネットが吸着され、上記チューブの他端部のマグネットまたは磁性体に、上記他のマグネットマウント付レンズのマグネットが吸着されることを特徴とするレンズキット。
【請求項１３】
レンズの外周に、磁性体が装着されている磁性体マウント付レンズと；
両端部のそれぞれにマグネットが設けられているチューブと；
を有し、２つの上記磁性体マウント付レンズの間に、上記チューブが挟まれていることを特徴とするレンズキット。
【請求項１４】
レンズの外周に、マグネットが装着されているマグネットマウント付レンズと；
レンズの外周に、磁性体が装着されている磁性体マウント付レンズと；
両端部のそれぞれにマグネットまたは磁性体が設けられているチューブと；
を有し、上記マグネットマウント付レンズと上記磁性体マウント付レンズとの間に、上記チューブが挟まれていることを特徴とするレンズキット。
【請求項１５】
請求項１２、請求項１３、請求項１４のいずれか１項において、
上記レンズキットが、ダブレット、トリプレット、クインテット、クワルテットのいずれかであることを特徴とするレンズキット。
【請求項１６】
請求項１２、請求項１３、請求項１４のいずれか１項において、
上記レンズキットが望遠鏡であることを特徴とするレンズキット。
【請求項１７】
マグネットまたは磁性体を含む環状部材と；
上記環状部材の内周に設けられ、レンズを係止する突起と；
を有することを特徴とするレンズマウント。
【請求項１８】
請求項１７において、
上記突起は、環状であることを特徴とするレンズマウント。
【請求項１９】
請求項１７において、
上記環状部材の内周と上記突起とのなす角度が、直角または鋭角であることを特徴とするレンズマウント。
【請求項２０】
請求項１７において、
上記環状部材の端面が、平面であり、しかも、軸方向と直交する面であることを特徴とするレンズマウント。
【請求項２１】
請求項１７において、
上記環状部材の断面は、Ｌ字状またはＴ字状であることを特徴とするレンズマウント。
【発明の詳細な説明】
【技術分野】
【０００１】
本発明は、マグネットマウント付レンズ、磁性体マウント付レンズ、レンズキットおよび望遠鏡に関する。
【背景技術】
【０００２】
従来、複数枚のレンズを組み立てる場合、１枚目のレンズを所定の位置に固定し、２枚目のレンズを、所望の位置に固定し、………、最後のレンズを予め決められた位置に固定する。つまり、１枚目のレンズから最後のレンズまでのそれぞれを位置合わせする必要がある。
【０００３】
たとえば、カメラ本体の撮影用レンズの鏡胴にねじ着され、また、開口部に内周溝を有するマウント部材を設け、レンズ本体の直径方向に対向して一対のボタン部材がレンズ本体に設けられ、しかも、マウント部材の内周溝部分に係合可能な係合突起部がボタン部材に設けられている（たとえば、特許文献１参照））。
【先行技術文献】
【特許文献】
【０００４】
【特許文献１】特許公開平８−２４８４９７号公報
【発明の概要】
【発明が解決しようとする課題】
【０００５】
しかし、上記従来例では、複数枚のレンズを組み立てる場合、カメラ本体の撮影用レンズの鏡胴にねじ着され、また開口部に内周溝を有するマウント部材と、レンズ本体の直径方向に対向する一対のボタン部材と、マウント部材の内周溝部分に係合可能な係合突起部とを必要とする。
【０００６】
つまり、上記従来例では、複数枚のレンズを組み立てる場合、その構成が複雑であり、しかも、レンズの組立作業が煩雑であるという問題がある。
【０００７】
本発明は、複数枚のレンズを組み立てる場合、その構成が簡素であり、しかもその組立作業が容易であるレンズキットを提供することを目的とする。
【０００８】
また、本発明は、複数枚のレンズでレンズキットを作り上げるに際して、焦点距離が異なるレンズを交換して、組み合わせたレンズユニットの性能を評価する作業を行う場合、レンズ交換作業が容易であるレンズキットを提供することを目的とする。
【課題を解決するための手段】
【０００９】
本発明のレンズキットは、レンズの外周に、マグネットが装着されているマグネットマウント付レンズと、１つのマグネットマウント付レンズと、他のマグネットマウント付レンズとの間に設けられるチューブであって、上記チューブの両端部のそれぞれに、マグネットまたは磁性体が設けられているチューブとを有し、上記チューブの一端部に設けられているマグネットまたは磁性体に、上記１つのマグネットマウント付レンズのマグネットが吸着され、上記チューブの他端部のマグネットまたは磁性体に、上記他のマグネットマウント付レンズのマグネットが吸着されるレンズキットである。
【発明の効果】
【００１０】
本発明によれば、複数枚のレンズを組み立てる場合、その構成が簡素であり、しかもその組立作業が容易であるという効果を奏する。
【図面の簡単な説明】
【００１１】
【図１】本発明の実施例１であるマグネットマウント付レンズ１００を示す断面図である。
【図２】カメラＣ１を示す断面図である。
【図３】本発明の実施例２である磁性体マウント付レンズ２００の断面図である。
【図４】カメラＣ２を示す断面図である。
【図５】本発明の実施例３であるレンズキット３００を示す図である。
【図６】本発明の実施例４であるレンズキット４００を示す断面図である。
【図７】本発明の実施例５であるレンズ用スペーサを示す断面図である。
【図８】本発明の実施例６である望遠鏡５００を示す断面図である。
【図９】本発明の実施例７である望遠鏡６００を示す断面図である。
【図１０】本発明の実施例８であるレンズマウントＬＭ１、ＬＭ２の断面図である。
【図１１】マグネットマウント付レンズ１０５と、磁性体マウント付レンズ２０５とを示す断面図である。
【図１２】レンズキット７００を示す断面図である。
【図１３】断面Ｔ字状であるレンズマウントＬＭ３を示す断面図である。
【図１４】レンズマウントＬＭ３にレンズＬ６とＬ７とをセットした状態を示す断面図である。
【発明を実施するための形態】
【００１２】
発明を実施するための形態は、以下の実施例である。
【実施例１】
【００１３】
図１は、本発明の実施例１であるマグネットマウント付レンズ１００を示す断面図である。
【００１４】
マグネットマウント付レンズ１００は、レンズＬ１の外周に、マグネットＭｇ１が円環状に装着されているレンズである。マグネットＭｇ１の形状は、円環状である必要はなく、レンズＬ１の外周の形状に応じて、四角形等の多角形の環状、半円形の環状等であってもよい。また、環状の全体にマグネットが設けられている必要はなく、間欠的にマグネットが設けられていてもよく、すなわち点在していてもよい。
【００１５】
レンズＬ１は、凸レンズであるが、凸レンズの代わりに、凹レンズを使用するようにしてもよい。
【００１６】
つまり、マグネットマウント付レンズ１００は、レンズＬ１の外周に、環状部材が装着され、この環状部材にマグネットが含まれている。また、上記環状部材は、全てマグネットで構成されているか、または、部分的にマグネットが含まれている部材である。
【００１７】
図２は、カメラＣ１を示す断面図である。
【００１８】
カメラＣ１は、マグネットマウント付レンズ１００と、レンズボードＬＢ１とによって構成されている。
【００１９】
レンズボードＬＢ１は、マグネットマウント付レンズ１００のレンズＬ１に対応する開口Ｈ１が設けられ、開口Ｈ１の周辺に磁性体Ｆｅ０が設けられている。
【００２０】
次に、カメラＣ１の使用例について説明する。
【００２１】
カメラＣ１を使用する場合、図２中、レンズボードＬＢ１の右に、スクリーンＳＣ１を設け、レンズボードＬＢ１を挟んで、スクリーンＳＣ１の反対側に、マグネットマウント付レンズ１００を設ける。
【００２２】
つまり、レンズボードＬＢ１の開口Ｈ１の周囲に設けられている磁性体Ｆｅ０に、マグネットＭｇ１を介してレンズＬ１が吸着されている。
【００２３】
そして、図２に示すように、マグネットマウント付レンズ１００をレンズボードＬＢ１に設置し、マグネットマウント付レンズ１００の左に位置する被写体がスクリーンＳＣ１に投影された画像に基づいて、マグネットマウント付レンズ１００の性能（収差等の性能）を試験する。
【００２４】
マグネットマウント付レンズ１００を他のものと交換する場合、次のようにする。つまり、レンズボードＬＢ１の開口Ｈ１の周囲に設けられている磁性体Ｆｅ０と、マグネットＭｇ１とが互いに吸着している力よりも、少しでも強い力によって、操作者が自分の手で、マグネットマウント付レンズ１００をレンズボードＬＢ１から剥がし、他の性能のレンズが装着されているマグネットマウント付レンズを、レンズボードＬＢ１に装着し、光学的な性能を検査する。
【００２５】
上記のように、操作者は、レンズボードＬＢ１からマグネットマウント付レンズ１００を、少しの力で剥がすことができるので、レンズの交換作業が容易である。また、新たなレンズを使用して試験する場合、レンズボードＬＢ１の開口Ｈ１の中心とレンズの中心とが合うように、マグネットマウント付レンズ１００をレンズボードＬＢ１に装着すれば足りるので、この点でも、レンズの交換作業が容易である。
【００２６】
なお、カメラＣ１において、スクリーンＳＣ１の代わりに、フィルムを設置すれば、フィルムカメラになり、スクリーンＳＣ１の代わりに、撮像素子を設置すれば、デジタルカメラになる。また、マグネットマウント付レンズ１００とレンズボードＬＢ１とが、プロジェクターの一部を構成すると考えることができる。
【実施例２】
【００２７】
図３は、本発明の実施例２である磁性体マウント付レンズ２００を示す断面図である。
【００２８】
磁性体マウント付レンズ２００は、マグネットマウント付レンズ１００において、マグネットＭｇ１の代わりに、磁性体Ｆｅ１を設けたものである。
【００２９】
すなわち、磁性体マウント付レンズ２００は、レンズＬ１の外周に、磁性体Ｆｅ１が円環状に装着されているレンズである。磁性体Ｆｅ１の形状は、円環状である必要はなく、レンズＬ１の外周の形状に応じて、四角形等の多角形、半円形等の環状であってもよい。また、環状の全体にマグネットが設けられている必要はなく、間欠的にマグネットが設けられていてもよく、すなわち点在していてもよい。
【００３０】
つまり、磁性体マウント付レンズ２００は、レンズＬ１の外周に、環状部材が装着され、この環状部材に磁性体が含まれている。また、上記環状部材は、磁性体で構成されているか、または、部分的に磁性体が含まれている部材である。
【００３１】
図４は、カメラＣ２を示す断面図である。
【００３２】
カメラＣ２は、磁性体マウント付レンズ２００とレンズボードＬＢ２とによって構成されている。
【００３３】
レンズボードＬＢ２は、磁性体マウント付レンズ２００のレンズＬ２に対応する開口Ｈ２が設けられ、開口Ｈ２の周辺にマグネットＭｇ０が設けられている。
【００３４】
次に、カメラＣ２の使用例について説明する。
【００３５】
カメラＣ２を使用する動作は、カメラＣ１を使用する動作と同様であり、図４中、レンズボードＬＢ２の右に、スクリーンＳＣ１を設け、レンズボードＬＢ２を挟んで、スクリーンＳＣ１の反対側に、磁性体マウント付レンズ２００を設ける。そして、レンズボードＬＢ２の開口Ｈ２の周囲に設けられているマグネットＭｇ０に、磁性体Ｆｅ０を介してレンズＬ１が吸着されている。そして、スクリーンＳＣ１に投影された画像に基づいて、磁性体マウント付レンズ２００の性能（収差等の性能）を試験する。
【００３６】
磁性体マウント付レンズ２００を他のものと交換する場合、操作者が自分の手で、磁性体マウント付レンズ２００をレンズボードＬＢ２から剥がし、他の性能のレンズが装着されている磁性体マウント付レンズ２００を、レンズボードＬＢ２に装着し、光学的な性能を検査する。この場合、操作者が少しの力を加えるだけで、レンズボードＬＢ２から磁性体マウント付レンズ２００を剥がすことができ、また、新たなレンズを使用して試験する場合、レンズボードＬＢ２の開口Ｈ２の中心とレンズの中心とが合うように、磁性体マウント付レンズ２００をレンズボードＬＢ２に装着すれば足りるので、レンズの交換作業が容易である。
【実施例３】
【００３７】
図５は、本発明の実施例３であるレンズキット３００を示す図である。
【００３８】
レンズキット３００は、マグネットマウント付レンズ１０１、１０２、１０３によって構成され、トリプレットと呼ばれている。
【００３９】
マグネットマウント付レンズ１０１は、マグネットマウント付レンズ１００と同じものである。マグネットマウント付レンズ１０２は、マグネットマウント付レンズ１００と同様であるが、マグネットＭｇ１の代わりに環状のマグネットＭｇ２が設けられ、レンズＬ１の代わりに、レンズＬ２が設けられている。マグネットマウント付レンズ１０３は、マグネットマウント付レンズ１００と同様であるが、マグネットＭｇ１の代わりに環状のマグネットＭｇ３が設けられ、レンズＬ１の代わりに、レンズＬ３が設けられている。
【００４０】
図５（１）は、レンズキット３００の完成形を示す断面図であり、図５（２）は、レンズキット３００の組立前の状態を示す断面図である。
【００４１】
図５（２）に示すように、レンズキット３００を組み立てる前には、マグネットマウント付レンズ１０１、１０２、１０３が互いに分離している。レンズキット３００を組み立てる場合、まず、マグネットマウント付レンズ１０１にマグネットマウント付レンズ１０２を近づけ、マグネットＭｇ１、Ｍｇ２の互いの吸着力によって、マグネットマウント付レンズ１０１と１０２とが接合される。この場合、マグネットＭｇ１、Ｍｇ２自体の形状精度が高く保たれているので、レンズＬ１に対するレンズＬ２の位置誤差が極めて少なく、また、容易に接合することができる。
【００４２】
次に、上記と同様に、マグネットマウント付レンズ１０２にマグネットマウント付レンズ１０３を近づけ、マグネットＭｇ２、Ｍｇ３自体の互いの吸着力によって、マグネットマウント付レンズ１０２と１０３とが接合される。この場合、マグネットＭｇ２、Ｍｇ３の形状精度が高く保たれているので、レンズＬ２に対するレンズＬ３の位置誤差が極めて少なく、また、容易に接合することができる。
【００４３】
図５は、トリプレットの例を示すが、２枚のレンズで構成されるダブレット、４枚のレンズで構成されるクインテット、５枚のレンズで構成されるクワルテット等、複数枚のレンズで構成される装置に、レンズキット３００を適用するようにしてもよい。
【実施例４】
【００４４】
図６は、本発明の実施例４であるレンズキット４００を示す断面図である。
【００４５】
レンズキット４００は、レンズキット３００のレンズ相互間にレンズ用スペーサＳ１、Ｓ２を挿入し、互いに磁力で固定したキットである。
【００４６】
図６（１）は、レンズキット４００の完成時の断面図である。図６（２）は、レンズキット４００を構成する構成部品を分解した状態を示す断面図である。
【００４７】
レンズ用スペーサＳ１は、環状のマグネットＭｇ４で構成され、その軸方向の長さが一定であり、その外径、内径は、マグネットマウント付レンズ１０１、マグネットマウント付レンズ１０２の各外径、内径と同じである。また、レンズ用スペーサＳ１は、マグネットマウント付レンズ１０１とマグネットマウント付レンズ１０２との間に設けられ、レンズ同士の間隔を所定の距離（レンズ用スペーサＳ１の軸方向の長さ）に固定して維持する部材である。
【００４８】
レンズ用スペーサＳ２は、環状のマグネットＭｇ５で構成され、その外径、内径は、マグネットマウント付レンズ１０２、１０３の各外径、内径と同じである。また、レンズ用スペーサＳ２は、マグネットマウント付レンズ１０２と１０３との間に設けられ、レンズ同士の間隔を所定の距離（レンズ用スペーサＳ２の軸方向の長さ）に固定して維持する部材である。
【００４９】
レンズキット４００を作るには、図６（２）に示す状態で、二重矢印で示す方向に、各部材を接近させることによって、各部材が磁力で互いに固定され、レンズキット４００が構成される。レンズ用スペーサＳ１、Ｓ２は、全体がマグネットで構成されている必要はなく、部分的にマグネットが含まれていればよい。
【００５０】
つまり、レンズ用スペーサＳ１、Ｓ２は、マグネットを含み、チューブ形状を具備するレンズ用スペーサであって、レンズの外周にマグネットが装着されている２つのレンズの間、レンズの外周に磁性体が装着されている２つのレンズの間、または、レンズの外周にマグネットが装着されているレンズとレンズの外周に磁性体が装着されているレンズとの間に、挿入されることによって、上記２つのレンズの間隔を固定して維持するレンズ用スペーサの例である。
【実施例５】
【００５１】
図７は、本発明の実施例５であるレンズ用スペーサを示す断面図である。
【００５２】
図７（１）は、レンズ用スペーサＳ３を示す断面図である。
【００５３】
レンズ用スペーサＳ３は、環状の磁性体Ｆｅ２で構成され、その軸方向の長さが一定である。レンズ用スペーサＳ３は、全体が磁性体で構成されている必要はなく、部分的に磁性体が含まれていればよい。
【００５４】
つまり、レンズ用スペーサＳ２は、磁性体を含み、チューブ形状を具備するレンズ用スペーサであって、レンズの外周にマグネットが装着されている２つのレンズの間に挿入されることによって、上記２つのレンズの間隔を固定して維持するレンズ用スペーサの例である。
【００５５】
図７（２）は、レンズ用スペーサＳ４を示す断面図である。
【００５６】
レンズ用スペーサＳ４は、チューブ（筒）Ｔ１の両端部に環状のマグネットＭｇ６が固定され、その軸方向の長さが一定である。チューブＴ１は、プラスチック等の合成樹脂等の非磁性体であってもよい。
【００５７】
レンズ用スペーサＳ４は、マグネットマウント付レンズと磁性体マウント付レンズとの間、マグネットマウント付レンズ同士の間、磁性体マウント付レンズ同士の間に設けられ、レンズ同士の間隔を所定の距離（レンズ用スペーサＳ４の軸方向の長さ）に固定して維持する部材である。
【００５８】
つまり、レンズ用スペーサＳ４は、チューブと、上記チューブの両端部に設けられているマグネットとを有するレンズ用スペーサであって、レンズの外周にマグネットが装着されている２つのレンズの間、レンズの外周に磁性体が装着されている２つのレンズの間、または、レンズの外周にマグネットが装着されているレンズとレンズの外周に磁性体が装着されているレンズとの間に、挿入されることによって、上記２つのレンズの間隔を固定して維持するレンズ用スペーサの例である。
【００５９】
図７（３）は、レンズ用スペーサＳ５を示す断面図である。
【００６０】
レンズ用スペーサＳ５は、チューブＴ１の両端部に環状の磁性体Ｆｅ３が固定され、その軸方向の長さが一定である。
【００６１】
レンズ用スペーサＳ５は、２つのマグネットマウント付レンズの間に設けられ、レンズ同士の間隔を所定の距離（レンズ用スペーサＳ５の軸方向の長さ）に固定して維持する部材である。
【００６２】
つまり、レンズ用スペーサＳ５は、チューブと、上記チューブの両端部に設けられている磁性体とを有するレンズ用スペーサであって、レンズの外周にマグネットが装着されている２つのレンズの間に挿入されることによって、上記２つのレンズの間隔を固定して維持するレンズ用スペーサの例である。
【００６３】
図７（４）は、レンズ用スペーサＳ６を示す断面図である。
【００６４】
レンズ用スペーサＳ６は、チューブＴ１の一方の端部に環状のマグネットＭｇ７が固定され、他方の端部に環状の磁性体Ｆｅ４が固定され、その軸方向の長さが一定である。
【００６５】
レンズ用スペーサＳ６は、磁性体マウント付レンズ同士の間、またはマグネットマウント付レンズと磁性体マウント付レンズとの間に設けられ、レンズ同士の間隔を所定の距離（レンズ用スペーサＳ６の軸方向の長さ）に固定して維持する部材である。
【００６６】
つまり、レンズ用スペーサＳ６は、チューブと、上記チューブの一方の端部に設けられているマグネットと、上記チューブの他方の端部に設けられている磁性体とを有するレンズ用スペーサであって、レンズの外周にマグネットが装着されている２つのレンズの間、または、レンズの外周にマグネットが装着されているレンズとレンズの外周に磁性体が装着されているレンズとの間に、挿入されることによって、上記２つのレンズの間隔を固定して維持するレンズ用スペーサの例である。
【００６７】
レンズ用スペーサＳ３、Ｓ４、Ｓ５、Ｓ６のそれぞれについて、軸方向の長さが互いに異なるスペーサを複数用意し、所望の長さのスペーサを選択すれば、２つのレンズの間隔を、所望の間隔にセットすることができる。これによって、組み合わせたレンズユニットの性能を測定する測定用として便利である。
【００６８】
レンズ用スペーサの厚さ（軸方向の長さ）は、たとえば、０．１ｍｍ、０．２ｍｍ、０．３ｍｍ、０．４ｍｍ、０．５ｍｍ、１ｍｍ、２ｍｍ、３ｍｍ、４ｍｍ、５ｍｍである。そして、直径が互いに異なるレンズ用スペーサを何種類か用意するようにしてもよい。
【実施例６】
【００６９】
図８は、本発明の実施例６である望遠鏡５００を示す断面図である。
【００７０】
図８（１）は、望遠鏡５００の完成時の状態を示す断面図である。
【００７１】
望遠鏡５００は、マグネットマウント付レンズ１０２と１０３との間に、チューブＴ２が設けられ、マグネットマウント付レンズ１０２とチューブＴ２とが、磁力によって互いに固定され、チューブＴ２とマグネットマウント付レンズ１０３とが、磁力によって互いに固定された望遠鏡である。
【００７２】
チューブＴ２は、環状のプラスチックＰ２と、その両端部のそれぞれに固定されている環状のマグネットＭｇ８とによって構成されている。
【００７３】
図８（２）は、望遠鏡５００の組立成前の状態を示す断面図である。
【００７４】
望遠鏡５００を組み立てる前には、図８（２）に示すように、マグネットマウント付レンズ１０２、チューブＴ２、マグネットマウント付レンズ１０３が互いに分離している。望遠鏡５００を組み立てる場合、まず、マグネットマウント付レンズ１０２にチューブＴ２を近づけ、マグネットＭｇ８と磁性体Ｆｅ５との互いの吸着力によって、マグネットマウント付レンズ１０２とチューブＴ２とが接合される。また、チューブＴ２にマグネットマウント付レンズ１０３を近づけ、磁性体Ｆｅ５とマグネットＭｇ３との互いの吸着力によって、チューブＴ２とマグネットマウント付レンズ１０３とが接合される。
【００７５】
この場合、チューブＴ２の軸方向の長さの精度が高く保たれているので、レンズＬ２とＬ３との位置誤差が極めて少なく、また、容易に接合することができる。
【実施例７】
【００７６】
図９は、本発明の実施例７である望遠鏡６００を示す断面図である。
【００７７】
望遠鏡６００は、望遠鏡５００において、マグネットを磁性体に置き換え、磁性体をマグネットに置き換えた実施例である。
【００７８】
図９（１）は、望遠鏡６００の完成時の状態を示す断面図である。
【００７９】
望遠鏡６００は、磁性体マウント付レンズ２０１と２０２との間に、チューブＴ３が設けられている望遠鏡である。チューブＴ３の両端部には、環状のマグネットＭｇ８が固定されている。そして、磁性体マウント付レンズ２０１とチューブＴ３とが、磁力によって互いに固定され、チューブＴ３と磁性体マウント付レンズ２０２とが、磁力によって互いに固定された望遠鏡である。
【００８０】
図９（２）は、望遠鏡６００の組立成前の状態を示す断面図である。
【００８１】
望遠鏡６００を組み立てる前には、図９（２）に示すように、磁性体マウント付レンズ２０１、チューブＴ３、磁性体マウント付レンズ２０２が互いに分離している。望遠鏡６００を組み立てる場合、まず、磁性体マウント付レンズ２０１にチューブＴ３を近づけ、マグネットＭｇ８と磁性体Ｆｅ５との互いの吸着力によって、磁性体マウント付レンズ２０１とチューブＴ３とが接合される。また、チューブＴ３に磁性体マウント付レンズ２０２を近づけ、マグネットＭｇ８と磁性体Ｆｅ６との互いの吸着力によって、チューブＴ３と磁性体マウント付レンズ２０２とが接合される。
【００８２】
この場合、チューブＴ３の軸方向の長さの精度が高く保たれているので、レンズＬ２とＬ３との位置誤差が極めて少なく、また、容易に接合することができる。
【００８３】
なお、各実施例において、マグネット、磁性体の代わりに、平面テープ、粘着剤等、他の接着部材を使用するようにしてもよい。
【００８４】
また、レンズキット４００において、レンズを２枚にし、たとえば、凸レンズを具備するマグネットマウント付レンズ１０１と、凹レンズを具備するマグネットマウント付レンズ１０２と、レンズ用スペーサＳ１の軸方向の長さを長くしたスペーサとによって、望遠鏡を実現することができる。
【００８５】
さらに、レンズキット４００において、レンズを２枚にし、たとえば、凹レンズを具備するマグネットマウント付レンズ１０２と、凸レンズを具備するマグネットマウント付レンズ１０３と、レンズ用スペーサＳ２の軸方向の長さを長くしたスペーサとによって、望遠鏡を実現することができる。
【００８６】
すなわち、上記レンズキット（ダブレット）の一例が望遠鏡であると認識することができる。
【実施例８】
【００８７】
図１０は、本発明の実施例８であるレンズマウントＬＭ１、ＬＭ２を示す断面図である。
【００８８】
図１０（１）は、レンズマウントＬＭ１を示す断面図である。レンズマウントＬＭ１は、レンズの外周に固着してマウント付レンズを製造するための部材である。また、レンズマウントＬＭ１は、環状部材Ｒ１と、突起ＰＲ１とを有する。
【００８９】
環状部材Ｒ１は、マグネットを含む材料で構成されている。突起ＰＲ１は、環状部材Ｒ１の内周から環状部材Ｒ１の軸芯に向かって設けられ、レンズを係止する。また、突起ＰＲ１は、環状であるが、環状でなくてもよい。
【００９０】
さらに、環状部材Ｒ１の端面ＳＦ１１、ＳＦ１２は、平面であり、しかも、環状部材Ｒ１の軸方向と直交する面である。
【００９１】
図１０（２）は、レンズマウントＬＭ１の一部分を拡大して示す断面図である。角α１は、環状部材Ｒ１の内周と突起ＰＲ１とのなす角度である。角α１が直角であり、突起ＰＲ１の頂点部位は、レンズを固定する部位である。
【００９２】
図１０（３）は、レンズマウントＬＭ２を示す断面図である。レンズマウントＬＭ２は、レンズの外周に固着してマウント付レンズを製造するための部材である。また、レンズマウントＬＭ２は、環状部材Ｒ２と、突起ＰＲ２とを有する。
【００９３】
環状部材Ｒ２は、磁性体を含む材料で構成されている。突起ＰＲ２は、環状部材Ｒ２の内周から環状部材Ｒ２の軸芯に向かって設けられ、レンズを係止する。また、突起ＰＲ２は、環状であるが、環状でなくてもよい。
【００９４】
さらに、環状部材Ｒ２の端面ＳＦ２１、ＳＦ２２は、平面であり、しかも、環状部材Ｒ２の軸方向と直交する面である。
【００９５】
図１０（４）は、レンズマウントＬＭ２の一部分を拡大して示す断面図である。角α２は、環状部材Ｒ２の内周と上記突起ＰＲ２とのなす角度である。角α２が鋭角であり、突起ＰＲ２の頂点部位は、レンズを固定する部位である。
【００９６】
また、環状部材Ｒ１、Ｒ２の断面は、Ｌ字状である。
【００９７】
図１１は、マグネットマウント付レンズ１０５と、磁性体マウント付レンズ２０５とを示す断面図である。
【００９８】
図１１（１）は、マグネットマウント付レンズ１０５を示す断面図である。マグネットマウント付レンズ１０５は、レンズマウントＬＭ１を凸レンズＬ１に装着したレンズであり、レンズマウントＬＭ１を構成する環状部材Ｒ１がマグネットを含むので、このレンズは、マグネットマウント付レンズ１０５である。なお、環状部材Ｒ１の内周面と凸レンズＬ１の外周とを接着材Ａ１で接着することによって、凸レンズＬ１がレンズマウントＬＭ１に固着される。
【００９９】
図１１（２）は、磁性体マウント付レンズ２０５を示す断面図である。磁性体マウント付レンズ２０５は、レンズマウントＬＭ２を凸レンズＬ５に装着したレンズであり、レンズマウントＬＭ２を構成する環状部材Ｒ２が磁性体を含むので、このレンズは、磁性体マウント付レンズ２０５である。なお、環状部材Ｒ２の内周面と凸レンズＬ５の外周とを接着材Ａ２で接着することによって、凸レンズＬ５がレンズマウントＬＭ２に固着される。
【０１００】
なお、図１１（１）に示すマグネットマウント付レンズＬＭ１において、レンズＬ１の点ＰＴ１は、レンズＬ１の光軸とレンズ表面との交点である。凸レンズＬ１をレンズマウントＬＭ１に固定することによって、レンズマウントＬＭ１における点ＰＴ１の位置が決まる。これと同様に、図１１（２）に示す磁性体マウント付レンズＬＭ２において、レンズＬ５の点ＰＴ２は、レンズＬ５の光軸とレンズ表面との交点である。凸レンズＬ５をレンズマウントＬＭ２に固定することによって、レンズマウントＬＭ２における点ＰＴ２の位置が決まる。
【０１０１】
図１２は、マグネットマウント付レンズ１０５と磁性体マウント付レンズ２０５とによって構成されるレンズキット７００を示す断面図である。
【０１０２】
レンズキット７００において、マグネットマウント付レンズ１０５の環状部材Ｒ１のマグネットと、磁性体マウント付レンズ２０５の環状部材Ｒ２の磁性体とが互いに吸着することによって、マグネットマウント付レンズ１０５と、磁性体マウント付レンズ２０５とが互いに一体的に固着され、レンズキット７００を構成する。
【０１０３】
図１３は、断面Ｔ字状であるレンズマウントＬＭ３を示す断面図である。
【０１０４】
レンズマウントＬＭ３は、レンズの外周に固着してマウント付レンズを製造するための部材である。また、レンズマウントＬＭ３は、環状部材Ｒ３と、突起ＰＲ３とを有する。
【０１０５】
レンズマウントＬＭ３は、マグネットを含む環状部材または磁性体を含む環状部材である。突起ＰＲ３は、環状部材Ｒ３の内周から環状部材Ｒ３の軸芯に向かって設けられ、レンズを係止する。また、突起ＰＲ３は、環状であるが、環状でなくてもよく、たとえば、歯車の内歯のような形状であってもよい。
【０１０６】
さらに、環状部材Ｒ３の端面ＳＦ３１、ＳＦ３２は、平面であり、しかも、環状部材Ｒ３の軸方向と直交する面である。
【０１０７】
図１３において、距離Ｄ１は、突起ＰＲ３の軸方向の長さであり、距離Ｕ１は、対向する突起ＰＲ３の距離である。
【０１０８】
図１４は、レンズマウントＬＭ３にレンズＬ６とＬ７とをセットした状態を示す断面図である。
【０１０９】
レンズマウントＬＭ３に、レンズＬ６、Ｌ７をそれぞれ、接着剤Ａ３、Ａ４によって固着すると、レンズＬ６の点ＰＴ３とレンズＬ７の点ＰＴ４との距離を、所定の値に保持することができる。なお、距離Ｕ１とＤ１との比を変化することによって、レンズ間隔を設定することができる。
【符号の説明】
【０１１０】
１００、１０１、１０２、１０３、１０５…マグネットマウント付レンズ、
２００、２０１、２０２、２０５…磁性体マウント付レンズ、
Ｃ１、Ｃ２…カメラ、
３００、４００、７００…レンズキット、
Ｓ１、Ｓ２、Ｓ３、Ｓ４、Ｓ５、Ｓ６…レンズ用スペーサ、
５００、６００…望遠鏡、
ＬＭ１、ＬＭ２、ＬＭ３…レンズマウント。
【図１】
2013161049.tif 000003
【図２】
2013161049.tif 000004
【図３】
2013161049.tif 000005
【図４】
2013161049.tif 000006
【図５】
2013161049.tif 000007
【図６】
2013161049.tif 000008
【図７】
2013161049.tif 000009
【図８】
2013161049.tif 000010
【図９】
2013161049.tif 000011
【図１０】
2013161049.tif 000012
【図１１】
2013161049.tif 000013
【図１２】
2013161049.tif 000014
【図１３】
2013161049.tif 000015
【図１４】
2013161049.tif 000016